(57)【要約】【課題】敷居溝に入り込んだ異物の敷居溝への堆積を少なくすることができるエレベータの敷居構造の提供。【解決手段】本発明は、エレベータの乗場に備えられ、ドア２の下部に設けたドアシュー３を案内する敷居溝４と、この敷居溝４の底部５に形成され、敷居溝４に入り込んだ異物７ａを昇降路に落下させる複数の落とし穴６とを有するエレベータの敷居構造において、敷居溝４に形成された隣り合う落とし穴６間の間隔Ａを、ドアシュー３の下面と敷居溝４の底部５の上面５ａとの距離ｄよりも小さく設定した（Ａ＜ｄ）構成にしてある。【選択図】図２
2013159464.tif 000002
【特許請求の範囲】
【請求項１】
エレベータの乗場に備えられ、ドアの下部に設けたドアシューを案内する敷居溝と、この敷居溝の底部に形成され、前記敷居溝に入り込んだ異物を昇降路に落下させる複数の落とし穴とを有するエレベータの敷居構造において、
前記敷居溝に形成された隣り合う前記落とし穴間の間隔を、前記ドアシューの下面と前記敷居溝の前記底部の上面との距離よりも小さく設定したことを特徴とするエレベータの敷居構造。
【請求項２】
請求項１に記載のエレベータの敷居構造において、
前記ドアの移動方向と直交する方向の寸法である前記敷居溝の幅寸法を、前記ドアシューの下面と前記敷居溝の前記底部の前記上面との距離よりも小さく設定したことを特徴とするエレベータの敷居構造。
【発明の詳細な説明】
【技術分野】
【０００１】
本発明は、エレベータの乗場に備えられ、ドアシューを案内する敷居溝を有するエレベータの敷居構造に関する。
【背景技術】
【０００２】
エレベータの乗場の敷居には、ドアの開閉を案内する敷居溝が設けられている。この敷居溝に異物が堆積すると、ドアの正常な開閉が妨げられ、異音の発生や、ドアがロックして動かなくなる等の異常が発生する虞がある。そこで、敷居溝の底部には、敷居溝に入り込んだ異物を昇降路内に落下させて排出する落とし穴が複数形成されている。
【０００３】
以前から、より効率的に敷居溝から異物を排出できるよう、落とし穴の形状や員数についての発明が公開されている。例えば、非特許文献１に示す発明によれば、落とし穴の間口を広くし、出口を狭くすることで、敷居溝の底部を無くし、異物を落とし穴の傾斜部に沿って落下しやすくしている。また、特許文献１に示す発明によれば、両開きドアの敷居溝について、ドア開端のみでなく、閉端にも落とし穴を設けることによって、ドア開閉時にドアシューによって押し出された異物が、より効率的に排出される工夫が成されている。
【０００４】
図６は、特許文献１に示される従来技術と同等の従来のエレベータの敷居構造の要部を示す縦断面図である。この図６に示すように、従来のエレベータの敷居構造は、ドア１２の下部に設けたドアシュー１３を案内する敷居溝１４と、この敷居溝１４の底部１５に形成され、敷居溝１４に入り込んだ異物を昇降路に落下させる複数の落とし穴１６とを有している。なお、隣り合う落とし穴１６間の間隔Ｃは、ドアシュー１３の下面と敷居溝１４の底部１５の上面１５ａとの距離Ｄよりも大きく設定されている。
【先行技術文献】
【非特許文献】
【０００５】
【非特許文献１】発明協会公開技報  公技番号９３−２０４１０号
【特許文献】
【０００６】
【特許文献１】実開平５−１６７８４号公報
【発明の概要】
【発明が解決しようとする課題】
【０００７】
しかしながら、上述した非特許文献１に記載される発明は、特殊な落とし穴形状とする煩雑な加工が必要となるため敷居溝の製作コストが高くなりやすい。また、異物の排出効率を上げるためには、落とし穴を形成する傾斜部の傾斜角度を一定の角度以上に設定する必要があるが、敷居は通常数ミリ程度の薄板を曲げて成型されており、敷居溝の底部に一定の角度以上の傾斜部を有する落とし穴を設けることは現実には困難である。
【０００８】
図７は図６に示す従来のエレベータの敷居構造における不具合を示す縦断面図である。特許文献１に示される従来技術にあっては、図７に例示するように、ドアシュー１３の下面と敷居溝１４の底部１５の上面１５ａとの距離Ｄよりも高い高さ寸法Ｈ３を有する異物１７ａが敷居溝１４の底部１５の上面１５ａに堆積した場合には、ドア１２の移動に伴ってドアシュー１３が異物１７ａに衝合した際に、異物１７ａが敷居溝１４の底部１５の上面１５ａにおいて倒れてそのまま留まることが起こり得る。このような状態となると、ドアシュー１３と敷居溝１４の底部１５との間に異物１７ａが嵌まり込み、上述のようにドア１２がロックされてしまうことがある。
【０００９】
本発明は、上述した従来技術における実状からなされたもので、その目的は、敷居溝に入り込んだ異物の敷居溝への堆積を少なくすることができるエレベータの敷居構造を提供することにある。
【課題を解決するための手段】
【００１０】
前記目的を達成するために、本発明に係るエレベータの敷居構造は、エレベータの乗場に備えられ、ドアの下部に設けたドアシューを案内する敷居溝と、この敷居溝の底部に形成され、前記敷居溝に入り込んだ異物を昇降路に落下させる複数の落とし穴とを有するエレベータの敷居構造において、前記敷居溝に形成された隣り合う前記落とし穴間の間隔を、前記ドアシューの下面と前記敷居溝の前記底部の上面との距離よりも小さく設定したことを特徴としている。
【００１１】
このように構成した本発明は、例えばドアシューの下面と敷居溝の底部の上面との距離よりも高さ寸法の高い異物が敷居溝に入り込んで、敷居溝に形成された隣合う落とし穴間に形成された底部の上面部分に載置されても、隣り合う落とし穴間に形成される底部の上面部分の長さ寸法、すなわち隣り合う落とし穴間の間隔は、異物の高さ寸法よりも小さくなるので、ドアの移動に伴ってドアシューが異物に衝合することにより、異物をドアシューによって落とし穴に導き、この落とし穴を介して昇降路に確実に落下させることができる。なお、ドアシューの下面と敷居溝の底部の上面との距離よりも高さ寸法の低い異物が敷居溝に入り込んだ場合には、隣り合う落とし穴間に形成される底部の上面部分に載置されてここに留まることは起こり得る。
【００１２】
上述のように本発明は、ドアシューの下面と敷居溝の底部の上面との距離よりも高さ寸法の高い異物は、落とし穴を介して昇降路に確実に落下させることができ、敷居溝に入り込んだ異物の敷居溝への堆積を少なくすることができる。
【００１３】
また本発明は、前記発明において、前記ドアの移動方向と直交する方向の寸法である前記敷居溝の幅寸法を、前記ドアシューの下面と前記敷居溝の前記底部の前記上面との距離よりも小さく設定したことを特徴としている。
【００１４】
このように構成した本発明は、敷居溝に入り込み、敷居溝の底部の上面に載置された異物が、ドアシューの下面と敷居溝の底部の上面との距離よりも高さ寸法の高い異物である場合には、ドアの移動に伴うドアシューと異物との衝合によって、異物が底部の上面部分にあって敷居溝の幅方向に倒れようとしても、敷居溝の幅寸法よりも異物の高さ寸法、すなわち長さ寸法の方が長いので、異物が敷居溝に嵌まり込むことがない。したがって、このような場合でも、異物を確実に落とし穴に導き、この落とし穴から昇降路に落下させることができる。
【発明の効果】
【００１５】
本発明は、敷居溝に形成された隣り合う落とし穴間の間隔を、ドアシューの下面と敷居溝の底部の上面との距離よりも小さく設定した構成にしてあることから、ドアシューの下面と敷居溝の底部の上面との距離よりも高さ寸法の高い異物が敷居溝の底部の上面部分に載置された場合には、その高さ寸法の高い異物をドアシューによって敷居溝の底部の上面部分から押し出して敷居溝の落とし穴に確実に導くことができる。すなわち本発明は、敷居溝に入り込んだ異物の敷居溝への堆積を少なくすることができ、従来に比べて敷居溝に入り込んだ異物に対する高い排出効率を確保できる。したがって本発明は、ドアの移動に伴う異音の発生や、ドアロックの発生を従来よりも少なくし、品質の高いエレベータを実現させることができる。
【図面の簡単な説明】
【００１６】
【図１】本発明に係るエレベータの敷居構造の第１実施形態の要部を示す平面図である。
【図２】図１のＦ−Ｆ断面にドアの下部及びドアシューを加入した状態を示す縦断面図である。
【図３】第１実施形態の動作を説明する図で、異物の高さ寸法が比較的高い場合を示す縦断面図である。
【図４】第１実施形態の動作を説明する図で、異物の高さ寸法が比較的低い場合を示す縦断面図である。
【図５】本発明の第２実施形態の要部を示す縦断面図である。
【図６】従来のエレベータの敷居構造の要部を示す縦断面図である。
【図７】図６に示す従来のエレベータの敷居構造における不具合を示す縦断面図である。
【発明を実施するための形態】
【００１７】
以下、本発明に係るエレベータの敷居構造の実施の形態を図に基づいて説明する。
【００１８】
図１は本発明に係るエレベータの敷居構造の第１実施形態の要部を示す平面図、図２は図１のＦ−Ｆ断面にドアの下部及びドアシューを加入した状態を示す縦断面図である。
【００１９】
本発明の第１実施形態に係るエレベータの敷居構造も、基本的な構成は、例えば前述した図６に示す従来技術と同等である。すなわち、第１実施形態の敷居構造も、図１，２に示すように、ドア２の下部に設けたドアシュー３を案内する敷居溝４と、この敷居溝４の底部５に形成され、敷居溝４に入り込んだ異物を昇降路に落下させるに十分な長さ寸法Ｂにそれぞれ設定された複数の落とし穴６とを有している。
【００２０】
この第１実施形態の特徴とするところは、敷居溝４に形成された隣り合う落とし穴６の間隔Ａを、ドアシュー３の下面と敷居溝４の底部５の上面５ａとの距離ｄよりも小さく設定した（Ａ＜ｄ）点である。
【００２１】
図３，４は第１実施形態の動作を説明する図で、図３は異物の高さ寸法が比較的高い場合を示す縦断面図、図４は異物の高さ寸法が比較的低い場合を示す縦断面図である。
【００２２】
前述のように構成した第１実施形態において、図１に示す落とし穴６の位置８ａに異物が落下したときには、そのまま異物が落とし穴６を介して昇降路に落下し排出される。
【００２３】
また、図１に示す敷居溝４の底部５の上面５ａの位置８ｂに異物が落下したときには、その上面５に異物が留まることが起こり得る。このとき、図３に示すように異物７ａの高さ寸法Ｈ１が、ドアシュー３の下面と敷居溝４の底部５の上面５ａとの距離ｄよりも高い場合（Ａ＜ｄ＜Ｈ１）と、図４に示すように異物７ｃの高さ寸法Ｈ２が、ドアシュー３の下面と敷居溝４の底部５の上面５ａとの距離ｄよりも低い場合（Ｈ２＜ｄ）とが起こり得る。
【００２４】
図３に示すように異物７ａの高さ寸法Ｈ１が比較的高い場合には、ドア２の移動に伴うドアシュー３によって、敷居溝４の底部５の上面５ａに載置されている異物７ａが押し出されて落とし穴６に導かれ、この落とし穴６を介して昇降路に落下し排出される。すなわち、異物７ａが敷居溝４の底部５の上面５ａに留まることなく昇降路に排出される。なお、図４に示すように異物７ａの高さ寸法Ｈ２が比較的低い場合には、ドア２が移動した際に、ドアシュー３と、敷居溝４の底部５の上面５ａとの間に入り込み、その異物７ａが底部５の上面５ａに留まることも起こり得る。
【００２５】
このように第１実施形態に係るエレベータの敷居構造にあっては、ドアシュー３の下面と敷居溝４の底部５の上面５ａとの距離ｄよりも高さ寸法Ｈ１の高い異物７ａが敷居溝４の底部５の上面５ａの部分に載置された場合は、その高さ寸法Ｈ１の高い異物７ａをドアシュー３によって敷居溝４の底部５の上面５ａ部分から押し出して敷居溝４の落とし穴６に確実に導くことができる。すなわち、この第１実施形態によれば、敷居溝４に入り込んだ異物７ａの敷居溝４への堆積を少なくすることができ、敷居溝４に入り込んだ異物に対する高い排出効率を確保できる。したがって、この第１実施形態は、ドア２の移動に伴う異音の発生や、ドアロックの発生を従来よりも少なくし、品質の高いエレベータを実現させることができる。
【００２６】
なお、図４の異物７ｃのように、異物７ｃの高さ寸法Ｈ２が比較的低い場合には、ドア２が移動しても敷居溝４の底部５の上面５ａの上の異物７ｃがドアシュー３に接触せず、したがって異音の発生やドアロックの発生を生じる懸念が少ない。
【００２７】
図５は本発明の第２実施形態の要部を示す縦断面図である。この第２実施形態に係るエレベータの敷居構造は、敷居溝４の深さを第１実施形態のものに比べて深く設定したものであり、ドア２の移動方向と直交する方向の寸法である敷居溝４の幅寸法ｔ（図１の幅寸法ｔと同様）を、ドアシュー３の下面と敷居溝４の底部５の上面５ａとの距離ｄ１よりも小さく設定した（ｔ＜ｄ１）構成にしてある。その他の構成は前述した第１実施形態と同等である。
【００２８】
このように構成した第２実施形態は、第１実施形態と同等の作用効果を得ることができる他、敷居溝４の底部５の上面５ａに載置された異物が、ドアシュー３の下面と敷居溝４の底部５の上面５ａとの距離ｄ１よりも高い高さ寸法Ｈ１を有する異物７ａである場合には、  ｔ＜ｄ１＜Ｈ１  の関係となる。したがって、ドア２の移動に伴うドアシュー３と異物７ａとの衝合によって、異物７ａが底部５の上面５ａの部分にあって敷居溝４の幅方向に倒れようとしても、敷居溝４の幅寸法ｔよりも異物７ａの高さ寸法Ｈ１、すなわち長さ寸法の方が長いので、異物７ａが敷居溝４に嵌まり込むことがなく、異物７ａを確実に落とし穴６に導き、この落とし穴６から昇降路に落下させることができる。
【符号の説明】
【００２９】
１    敷居
２    ドア
３    ドアシュー
４    敷居溝
５    底部
５ａ  上面
６    落とし穴
７ａ  異物
７ｃ  異物
Ａ    間隔
Ｂ    長さ寸法
ｄ    距離
ｄ１  距離
ｔ    幅寸法
Ｈ１  高さ寸法
Ｈ２  高さ寸法
【図１】
2013159464.tif 000003
【図２】
2013159464.tif 000004
【図３】
2013159464.tif 000005
【図４】
2013159464.tif 000006
【図５】
2013159464.tif 000007
【図６】
2013159464.tif 000008
【図７】
2013159464.tif 000009